(57)【要約】【課題】ＷＴＲＵ（無線送受信ユニット）のＰＵＣＣＨ（物理アップリンク制御チャネル）およびＳＲＳ（サウンディング基準信号）の送信のための電力制御方法を含む、複数の送信アンテナを有するデバイスの電力制御が開示される。【解決手段】ＰＵＣＣＨおよびＳＲＳの電力制御方法は、ＭＩＭＯ（多入力多出力）モードを選択することと、選択されたＭＩＭＯモードに基づいてＰＵＣＣＨまたはＳＲＳの送信の電力を変更することとを含む。別の電力制御方法は、少なくとも２つの送信アンテナを有するＷＴＲＵのＡＧＩ（アンテナ利得アンバランス）を推定する。ＡＧＩは、各送信アンテナ上のＲＳＲＰ（基準信号受信電力）を測定することに基づく。次いで各送信アンテナは、推定されたＡＧＩに基づくＡＧＩ倍率によって変倍される。【選択図】図２
2014171260.tif 000002
【特許請求の範囲】
【請求項１】
複数のアンテナを有する無線送受信ユニット（ＷＴＲＵ）の電力制御方法であって、
複数の多入力多出力（ＭＩＭＯ）モードから選択されたアップリンク（ＵＬ）ＭＩＭＯモードを受信するステップと、
少なくとも前記ＵＬ  ＭＩＭＯモードに基づいて、物理アップリンク制御チャネル（ＰＵＣＣＨ）送信電力を決定するステップと
を含むことを特徴とする方法。
【請求項２】
前記ＵＬ  ＭＩＭＯモードに対応するＭＩＭＯオフセットを決定するステップ
をさらに含むことを特徴とする請求項１に記載の方法。
【請求項３】
前記ＰＵＣＣＨ送信電力を前記複数のアンテナの間で分配するステップ
をさらに含むことを特徴とする請求項２に記載の方法。
【発明の詳細な説明】
【技術分野】
【０００１】
本出願は、無線通信に関する。
【背景技術】
【０００２】
関連出願の相互参照
本出願は、参照により本明細書に組み込まれている、２００９年１０月２日に出願した米国仮出願第６１／２４８，２０３号明細書の利益を主張する。
【０００３】
３ＧＰＰ（Third Generation Partnership Project）ＬＴＥ（long term evolution）Ｒ８（Release 8）ＵＬ（アップリンク）において、ＷＴＲＵ（無線送受信ユニット）は、ＰＵＳＣＨ（物理アップリンク共有チャネル）上のそのデータ（および時としてその制御情報）を送信することができる。ｅＮＢ（発展型ノードＢ）は、ＰＤＣＣＨ（物理ダウンリンク制御チャネル）フォーマット０上で運ばれ得るＵＬスケジューリング許可（ｓｃheduling grant）を使用して各ＷＴＲＵからＰＵＳＣＨ送信をスケジュールし、制御することができる。アップリンクスケジューリング許可の一部として、ＷＴＲＵは、ＭＣＳ（変調および符号化セット）、ＴＰＣ（送信電力制御）コマンド、アップリンクリソース割り当て（例えば、割り当てられたリソースブロックの指数）に関する制御情報を受信することができる。次いで、ＷＴＲＵは、ＴＰＣコマンドによって設定された送信電力で、対応するＭＣＳを使用して、割り当てられたＵＬリソース上でそのＰＵＳＣＨを送信することができる。
【０００４】
ＵＬは、それだけには限定されないが、ＡＣＫ／ＮＡＣＫ（肯定応答／否定応答）、ＣＱＩ（チャネル品質インジケータ）、ＳＲ（スケジューリング要求）、ならびにＤＬ（ダウンリンク）およびＵＬのトランスポートチャネルの送信をサポートするＳＲＳ（サウンディング基準信号）など、何らかの制御シグナリングの信号を送る必要がある場合もある。ＷＴＲＵに例えばＰＵＳＣＨなどデータ送信のためのＵＬリソースが割り当てられていない場合、制御情報は、ＰＵＣＣＨにおいてＵＬ制御信号に特別に割り当てられたＵＬリソースで送信され得る。これらのリソースは、使用可能な合計セルＢＷ（帯域幅）のエッジに配置され得る。ＰＵＣＣＨの送信電力は、ＰＵＣＣＨが適切な電力でセルサイトにおいて受信されることを確実にするように制御され得る。
【０００５】
ＬＴＥ  Ｒ８において、所与のＷＴＲＵのＰＵＳＣＨ送信およびＰＵＣＣＨ送信は、様々なときに行われるようにスケジュールされる。ＬＴＥ−Ａ（LTE-Advanced）は、ＰＵＳＣＨおよびＰＵＣＣＨの同時送信をサポートすることができる。さらに、ＬＴＥ−Ａ  ＵＬは、ＵＬ成分キャリア当たりのデータ送信のための可能な最高２つのコード・ワード（トランスポートブロック）により複数の送信アンテナ（例えば、最高４つのアンテナ）をサポートすることができる。複数の送信アンテナは、それぞれＰＵＣＣＨおよびＳＲＳの送信に使用され得る。ＡＧＩ（アンテナ利得アンバランス：antenna gain inbalance）は、ＵＬで複数のアンテナ送信を使用するときに生じ得る。
【発明の概要】
【０００６】
ＵＬ（アップリンク）での送信に複数の送信アンテナを使用したデバイスのための電力制御方法が本明細書に開示される。方法は、ＰＵＣＣＨ（物理アップリンク制御チャネル）送信の電力を新しいレベルに変更することを含み、新しいレベルはＭＩＭＯ（多入力多出力）モード（送信モード構成）に少なくとも一部分依存する。別の方法は、ＳＲＳ（サウンディング基準信号）送信の電力を新しいレベルに変更することを記載し、新しいレベルは選択されたＭＩＭＯモード（または送信モード構成）に少なくとも一部分依存する。測定されたＲＳＲＰ（基準信号受信電力）に基づいて送信アンテナのＡＧＩ（アンテナ利得アンバランス）を推定するための方法が提供され、各送信アンテナは、推定されたＡＧＩに基づくＡＧＩ倍率(scaling factor)によって変倍(scale)される。推定されたＡＧＩは、基準送信アンテナに対して変倍された相対的なＡＧＩによって表され得る。
【図面の簡単な説明】
【０００７】
添付の図面との関連で一例として提供される以下の説明から、より詳細な理解が得られる。
【０００８】
【図１Ａ】１つまたは複数の開示された実施形態が実施され得る通信システム例を示す系統図である。
【図１Ｂ】図１Ａに示される通信システム内で使用され得るＷＴＲＵ（無線送受信ユニット）例を示す系統図である。
【図１Ｃ】図１Ａに示される通信システム内で使用され得る無線アクセスネットワーク例およびコアネットワーク例を示す系統図である。
【図２】ＵＬ（アップリンク）ＭＩＭＯ（多入力多出力）を使用するときの物理アップリンクチャネル送信の電力制御フローチャート例を示す図である。
【図３】ＵＬ  ＭＩＭＯを使用するときのＳＲＳ（サウンディング基準信号）の電力制御フローチャート例を示す図である。
【図４】ＡＧＩ（アンテナ利得アンバランス）補償の電力制御フローチャート例を示す図である。
【図５】ＡＧＩ補償の別の電力制御フローチャート例を示す図である。
【発明を実施するための形態】
【０００９】
図１Ａは、１つまたは複数の開示された実施形態が実施され得る通信システム１００の一例の図である。通信システム１００は、例えば音声、データ、ビデオ、メッセージング、ブロードキャストなどのコンテンツを複数の無線ユーザに提供する多元接続システムとすることができる。通信システム１００によって、複数の無線ユーザは、無線帯域幅を含むシステムリソースの共有を介して、こうしたコンテンツにアクセスすることができる。例えば、通信システム１００は、例えばＣＤＭＡ（符号分割多元接続）、ＴＤＭＡ（時分割多元接続）、ＦＤＭＡ（周波数分割多元接続）、ＯＦＤＭＡ（直交ＦＤＭＡ）、ＳＣ−ＦＤＭＡ（シングルキャリアＦＤＭＡ）など、１つまたは複数のチャネルアクセスの方法を使用することができる。
【００１０】
図１Ａに示されるように、通信システム１００は、ＷＴＲＵ（無線送受信ユニット）１０２ａ、１０２ｂ、１０２ｃ、１０２ｄ、ＲＡＮ（無線アクセスネットワーク）１０４、コアネットワーク１０６、ＰＳＴＮ（公衆交換電話網）１０８、インターネット１１０、および他のネットワーク１１２を含むことができるが、開示された実施形態は、任意の数のＷＴＲＵ、基地局、ネットワーク、および／またはネットワーク要素を企図することを理解されたい。ＷＴＲＵ１０２ａ、１０２ｂ、１０２ｃ、１０２ｄのそれぞれは、無線環境において動作し、および／または通信するように構成された任意のタイプのデバイスとすることができる。一例として、ＷＴＲＵ１０２ａ、１０２ｂ、１０２ｃ、１０２ｄは、無線信号を送信し、および／または受信するように構成されてもよく、ＵＥ（ユーザ機器）、移動局、固定式またはモバイル式の加入者ユニット、ページャ、移動電話、ＰＤＡ（個人用デジタル補助装置）、スマートフォン、ラップトップ、ネットブック、パーソナルコンピュータ、無線センサ、家電などがあり得る。
【００１１】
通信システム１００は、基地局１１４ａおよび基地局１１４ｂも含み得る。基地局１１４ａ、１１４ｂのそれぞれは、例えばコアネットワーク１０６、インターネット１１０、および／またはネットワーク１１２など、１つまたは複数の通信ネットワークへのアクセスを容易にするために、ＷＴＲＵ１０２ａ、１０２ｂ、１０２ｃ、１０２ｄのうちの少なくとも１つと無線でインターフェースをとるように構成された任意のタイプのデバイスとすることができる。一例として、基地局１１４ａ、１１４ｂは、ＢＴＳ（基地トランシーバ局）、ＮｏｄｅＢ、ｅＮｏｄｅＢ、Ｈｏｍｅ  ＮｏｄｅＢ、Ｈｏｍｅ  ｅＮｏｄｅＢ、サイトコントローラ、ＡＰ（アクセスポイント）、無線ルータなどとすることができる。基地局１１４ａ、１１４ｂはそれぞれ単一の要素として示されているが、基地局１１４ａ、１１４ｂは、任意の数の相互接続された基地局および／またはネットワーク要素を含むことができることを理解されたい。
【００１２】
基地局１１４ａは、ＲＡＮ１０４の一部とすることができ、ＲＡＮ１０４は、他の基地局および／またはネットワーク要素（図示せず）、例えばＢＳＣ（基地局コントローラ）、ＲＮＣ（無線ネットワークコントローラ）、中継ノードなども含み得る。基地局１１４ａおよび／または基地局１１４ｂは、セル（図示せず）と呼ばれ得る特定の地理的領域内で無線信号を送信し、および／または受信するように構成され得る。セルは、セルセクタにさらに分割され得る。例えば、基地局１１４ａと関連したセルは、３つのセクタに分割され得る。したがって、一実施形態において、基地局１１４ａは、３つのトランシーバ、すなわちセルのセクタごとに１つのトランシーバを含むことができる。別の実施形態において、基地局１１４ａは、ＭＩＭＯ（多入力多出力）技術を使用することができ、したがって、セルのセクタごとに複数のトランシーバを使用することができる。
【００１３】
基地局１１４ａ、１１４ｂは、任意の適した無線通信リンク（例えばＲＦ（無線周波数）、マイクロ波、ＩＲ（赤外線）、ＵＶ（紫外線）、可視光など）とすることができるエアインターフェース１１６を介してＷＴＲＵ１０２ａ、１０２ｂ、１０２ｃ、１０２ｄのうちの１つまたは複数と通信することができる。エアインターフェース１１６は、任意の適したＲＡＴ（無線アクセス技術）を使用して確立することができる。
【００１４】
より詳細には、上述したように、通信システム１００は、多元接続システムでもよく、例えばＣＤＭＡ、ＴＤＭＡ、ＦＤＭＡ、ＯＦＤＭＡ、ＳＣ−ＦＤＭＡなど、１つまたは複数のチャネルアクセス方式を使用することができる。例えば、ＲＡＮ１０４内の基地局１１４ａおよびＷＴＲＵ１０２ａ、１０２ｂ、１０２ｃは、ＷＣＤＭＡ（広帯域ＣＤＭＡ）を使用してエアインターフェース１１６を確立することができる、ＵＭＴＳ（Universal Mobile Telecommunications System）ＵＴＲＡ（Terrestrial Radio Access）などの無線技術を実装することができる。ＷＣＤＭＡは、例えばＨＳＰＡ（高速パケットアクセス）および／またはＨＳＰＡ＋（Ｅｖｏｌｖｅｄ  ＨＳＰＡ）などの通信プロトコルを含むことができる。ＨＳＰＡは、ＨＳＤＰＡ（高速ダウンリンクパケットアクセス）および／またはＨＳＵＰＡ（高速アップリンクパケットアクセス）を含むことができる。
【００１５】
別の実施形態において、基地局１１４ａおよびＷＴＲＵ１０２ａ、１０２ｂ、１０２ｃは、ＬＴＥ（ロング・ターム・エボリューション）および／またはＬＴＥ−Ａ（ＬＴＥ−Ａｄｖａｎｃｅｄ）を使用してエアインターフェース１１６を確立することができるＥ−ＵＴＲＡ（Evolved UMTS Terrestrial Radio Access）などの無線技術を実装することができる。
【００１６】
他の実施態様において、基地局１１４ａおよびＷＴＲＵ１０２ａ、１０２ｂ、１０２ｃは、例えばＩＥＥＥ８０２．１６（すなわちＷｉＭＡＸ（Worldwide Interoperability for Microwave Access））、ＣＤＭＡ２０００、ＣＤＭＡ２０００  １Ｘ、ＣＤＭＡ２０００ＥＶ−ＤＯ、ＩＳ−２０００（Interim Standard 2000）、ＩＳ−９５（Interim Standard 95）、ＩＳ−８５６（Interim Standard 856）、ＧＳＭ（Global System for Mobile communications）（登録商標）、ＥＤＧＥ（Enhanced Data rates for GSM Evolution）、ＧＥＲＡＮ（GSM EDGE）などの無線技術を実装することができる。
【００１７】
図１Ａの基地局１１４ｂは、例えば無線ルータ、Ｈｏｍｅ  ＮｏｄｅＢ、Ｈｏｍｅ  ｅＮｏｄｅＢ、またはアクセスポイントとすることができ、事業所、家、車、キャンパスなど、局所エリアにおける無線接続を容易にするための任意の適したＲＡＴを使用することができる。一実施形態において、基地局１１４ｂおよびＷＴＲＵ１０２ｃ、１０２ｄは、ＷＬＡＮ（無線ローカルエリアネットワーク）を確立するために、ＩＥＥＥ８０２．１１などの無線技術を実装することができる。別の実施形態において、基地局１１４ｂおよびＷＴＲＵ１０２ｃ、１０２ｄは、ＷＰＡＮ（無線パーソナルエリアネットワーク）を確立するために、ＩＥＥＥ８０２．１５などの無線技術を実装することができる。さらに別の実施形態において、基地局１１４ｂおよびＷＴＲＵ１０２ｃ、１０２ｄは、セルラベースのＲＡＴ（例えばＷＣＤＭＡ、ＣＤＭＡ２０００、ＧＳＭ、ＬＴＥ、ＬＴＥ−Ａなど）を使用して、ピコセルまたはフェムトセルを確立することができる。図１Ａに示されるように、基地局１１４ｂは、インターネット１１０への直接接続を有し得る。したがって、基地局１１４ｂは、コアネットワーク１０６を介してインターネット１１０にアクセスする必要がない場合がある。
【００１８】
ＲＡＮ１０４は、コアネットワーク１０６と通信することができ、コアネットワーク１０６は、音声、データ、アプリケーション、および／またはＶｏＩＰ（ｖｏｉｃｅ  ｏｖｅｒ  ｉｎｔｅｒｎｅｔ  ｐｒｏｔｏｃｏｌ）サービスをＷＴＲＵ１０２ａ、１０２ｂ、１０２ｃ、１０２ｄのうちの１つまたは複数に提供するように構成された任意のタイプのネットワークとすることができる。例えば、コアネットワーク１０６は、呼制御、課金サービス、モバイル位置ベースのサービス、プリペイドコーリング、インターネット接続、ビデオ配信などを提供することができ、および／または例えばユーザ認証などの高レベルセキュリティ機能を実行することができる。図１Ａには示されていないが、ＲＡＮ１０４および／またはコアネットワーク１０６は、ＲＡＮ１０４と同じＲＡＴまたは異なるＲＡＴを使用する他のＲＡＮと直接または間接的に通信することができることを理解されたい。例えば、Ｅ−ＵＴＲＡ無線技術を使用している可能性があるＲＡＮ１０４に接続されていることに加えて、コアネットワーク１０６は、ＧＳＭ無線技術を使用する別のＲＡＮ（図示せず）と通信することもできる。
【００１９】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働くこともできる。ＰＳＴＮ１０８は、ＰＯＴＳ（基本電話サービス：plain old telephone service）を提供する回線交換電話網を含み得る。インターネット１１０は、例えばＴＣＰ（送信制御プロトコル）、ＵＤＰ（ユーザデータグラムプロトコル）、およびＴＣＰ／ＩＰインターネットプロトコルのスイートにおけるＩＰ（インターネットプロトコル）など、一般の通信プロトコルを使用する相互接続されたコンピュータネットワークおよびデバイスのグローバルシステムを含み得る。ネットワーク１１２は、他のサービスプロバイダによって所有され、および／または操作される有線または無線の通信ネットワークを含み得る。例えば、ネットワーク１１２は、ＲＡＮ１０４と同じＲＡＴまたは異なるＲＡＴを使用し得る１つまたは複数のＲＡＮに接続されている別のコアネットワークを含むことができる。
【００２０】
通信システム１００におけるＷＴＲＵ１０２ａ、１０２ｂ、１０２ｃ、１０２ｄの一部またはすべては、マルチモード機能を含むことができ、すなわち、ＷＴＲＵ１０２ａ、１０２ｂ、１０２ｃ、１０２ｄは、異なる無線リンクを介して異なる無線ネットワークと通信するための複数のトランシーバを含むことができる。例えば、図１Ａに示されるＷＴＲＵ１０２ｃは、セルラベースの無線技術を使用することができる基地局１１４ａ、およびＩＥＥＥ８０２無線技術を使用することができる基地局１１４ｂと通信するように構成され得る。
【００２１】
図１Ｂは、ＷＴＲＵ１０２の例の系統図である。図１Ｂに示されるように、ＷＴＲＵ１０２は、プロセッサ１１８、トランシーバ１２０、送受信要素１２２、スピーカ／マイクロフォン１２４、キーパッド１２６、ディスプレイ／タッチパッド１２８、固定式メモリ１３０、取り外し式メモリ１３２、電源１３４、ＧＰＳ（全地球測位システム）チップセット１３６、および他の周辺機器１３８を含み得る。ＷＴＲＵ１０２は、一実施形態との一致を保ちながら、上記の要素の任意のサブコンビネーションを含むことができることを理解されたい。
【００２２】
プロセッサ１１８は、汎用プロセッサ、専用プロセッサ、従来のプロセッサ、ＤＳＰ（デジタル信号プロセッサ）、複数のマイクロプロセッサ、１つのＤＳＰコアに関連した１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、状態機械などでもよい。プロセッサ１１８は、信号符号化、データ処理、電力制御、入出力処理、および／またはＷＴＲＵ１０２が無線環境において動作できる他の任意の機能を実行することができる。プロセッサ１１８は、トランシーバ１２０に結合され、トランシーバ１２０は送受信要素１２２に結合され得る。図１Ｂではプロセッサ１１８およびトランシーバ１２０を個別の構成要素として示しているが、プロセッサ１１８およびトランシーバ１２０が電子パッケージまたはチップに一緒に組み込まれてもよいことを理解されたい。
【００２３】
送受信要素１２２は、エアインターフェース１１６を介して基地局（例えば基地局１１４ａ）に信号を送信し、または基地局から信号を受信するように構成され得る。例えば、一実施形態において、送受信要素１２２は、ＲＦ信号を送信および／または受信するように構成されたアンテナでもよい。別の実施形態において、送受信要素１２２は、例えばＩＲ、ＵＶ、または可視光信号を送信および／または受信するように構成されたエミッタ／検出器でもよい。さらに別の実施形態において、送受信要素１２２は、ＲＦおよび光信号を送信および受信するように構成されていてもよい。送受信要素１２２が無線信号の任意の組み合わせを送信および／または受信するように構成され得ることを理解されたい。
【００２４】
さらに、送受信要素１２２は単一の要素として図１Ｂに示されているが、ＷＴＲＵ１０２は任意の数の送受信要素１２２を含むことができる。より詳細には、ＷＴＲＵ１０２は、ＭＩＭＯ技術を使用することができる。したがって、一実施形態において、ＷＴＲＵ１０２は、エアインターフェース１１６を介して無線信号を送信および受信するための２つ以上の送受信要素１２２（例えば、複数のアンテナ）を含むことができる。
【００２５】
トランシーバ１２０は、送受信要素１２２によって送信されるべき信号を変調し、送受信要素１２２によって受信される信号を復調するように構成され得る。上述したように、ＷＴＲＵ１０２は、マルチモード機能を有し得る。したがって、トランシーバ１２０は、ＷＴＲＵ１０２が例えばＵＴＲＡ、およびＩＥＥＥ８０２．１１など、複数のＲＡＴを介して通信できるようにするための複数のトランシーバを含むことができる。
【００２６】
ＷＴＲＵ１０２のプロセッサ１１８は、スピーカ／マイクロフォン１２４、キーパッド１２６、および／またはディスプレイ／タッチパッド１２８（例えば、ＬＣＤ（液晶表示）ディスプレイユニット、またはＯＬＥＤ（有機発光ダイオード）ディスプレイユニットなど）に結合することができ、そこからユーザ入力データを受信することができる。プロセッサ１１８は、スピーカ／マイクロフォン１２４、キーパッド１２６、および／またはディスプレイ／タッチパッド１２８にユーザデータを出力することもできる。さらに、プロセッサ１１８は、例えば固定式メモリ１３０および／または取り外し式メモリ１３２など、任意のタイプの適したメモリから情報にアクセスすることができ、そこにデータを格納することができる。固定式メモリ１３０は、ＲＡＭ（ランダムアクセスメモリ）、ＲＯＭ（読み取り専用メモリ）、ハードディスク、または他の任意のタイプの記憶装置を含み得る。取り外し式メモリ１３２は、ＳＩＭ（加入者識別モジュール）カード、メモリスティック、ＳＤ（secure digital）メモリカードなどを含み得る。他の実施態様において、プロセッサ１１８は、例えばサーバまたはホームコンピュータ（図示せず）など、ＷＴＲＵ１０２に物理的に配置されないメモリから情報にアクセスすることができ、そこにデータを格納することができる。
【００２７】
プロセッサ１１８は、電源１３４から電力を受信することができ、ＷＴＲＵ１０２における他の構成要素に電力を分配し、および／または制御するように構成され得る。電源１３４は、ＷＴＲＵ１０２に電力を供給するための任意の適したデバイスとすることができる。例えば、電源１３４には、１つまたは複数の乾電池バッテリ（例えば、ＮｉＣｄ（ニッケルカドミウム）、ＮｉＺｎ（ニッケル亜鉛）、ＮｉＭＨ（ニッケル水素）、Ｌｉ−ｉｏｎ（リチウムイオン）など）、太陽電池、燃料電池などがある。
【００２８】
プロセッサ１１８は、ＷＴＲＵ１０２の現在の位置に関する位置情報（例えば経度および緯度）を提供するように構成され得るＧＰＳチップセット１３６に結合されてもよい。ＧＰＳチップセット１３６からの情報に加えて、またはその代わりに、ＷＴＲＵ１０２は、基地局（例えば基地局１１４ａ、１１４ｂ）からエアインターフェース１１６を介して位置情報を受信することができ、および／または２つ以上の近くの基地局から信号が受信されるタイミングに基づいて、その位置を決定することができる。一実施形態との一致を保ちながら、ＷＴＲＵ１０２が任意の適した位置決定方法によって位置情報を取得することができることを理解されたい。
【００２９】
プロセッサ１１８は、追加の特徴、機能、および／または有線もしくは無線の接続を提供する１つまたは複数のソフトウェアおよび／またはハードウェアモジュールを含み得る他の周辺機器１３８にさらに結合され得る。例えば、周辺機器１３８には、加速度計、ｅコンパス、衛星トランシーバ、デジタルカメラ（写真またはビデオ用）、ＵＳＢ（汎用シリアルバス）ポート、振動デバイス、テレビ放送機、ハンドフリーヘッドセット、Ｂｌｕｅｔｏｏｔｈ（登録商標）モジュール、ＦＭ（周波数変調）無線ユニット、デジタル音楽プレーヤ、メディアプレーヤ、ビデオゲームプレーヤモジュール、インターネットブラウザなどがある。
【００３０】
図１Ｃは、一実施形態によるＲＡＮ１０４およびコアネットワーク１０６の系統図である。上述したように、ＲＡＮ１０４は、Ｅ−ＵＴＲＡ無線技術を使用して、エアインターフェース１１６を介してＷＴＲＵ１０２ａ、１０２ｂ、１０２ｃと通信することができる。図１ＣにはＷＴＲＵ１０２ａ、１０２ｂ、および１０２ｃが示されているが、開示された実施形態および例は、任意の数のＷＴＲＵを企図し得る。ＲＡＮ１０４は、コアネットワーク１０６と通信することもできる。
【００３１】
ＲＡＮ１０４は、ｅＮｏｄｅ−Ｂ１４０ａ、１４０ｂ、１４０ｃを含み得るが、ＲＡＮ１０４は、一実施形態と整合したまま、任意の数のｅＮｏｄｅ−Ｂを含むことができることを理解されたい。ｅＮｏｄｅ−Ｂ１４０ａ、１４０ｂ、１４０ｃはそれぞれ、エアインターフェース１１６を介してＷＴＲＵ１０２ａ、１０２ｂ、１０２ｃと通信するための１つまたは複数のトランシーバを含むことができる。一実施形態において、ｅＮｏｄｅ−Ｂ１４０ａ、１４０ｂ、１４０ｃは、ＭＩＭＯ技術を実装することができる。したがって、ｅＮｏｄｅ−Ｂ１４０ａは、例えば、複数のアンテナを使用して、ＷＴＲＵ１０２ａに無線信号を送信し、そこから無線信号を受信することができる。
【００３２】
ｅＮｏｄｅ−Ｂ１４０ａ、１４０ｂ、１４０ｃのそれぞれは、特定のセル（図示せず）と関連付けられていてもよく、無線リソース管理決定、ハンドオーバ決定、アップリンクおよび／またはダウンリンクにおけるユーザのスケジューリングなどを処理するように構成され得る。図１Ｃに示されるように、ｅＮｏｄｅ−Ｂ１４０ａ、１４０ｂ、１４０ｃは、Ｘ２インターフェースを介して互いに通信することができる。
【００３３】
図１Ｃに示されるコアネットワーク１０６は、ＭＭＥ（移動管理ゲートウェイ）１４２、サービングゲートウェイ１４４、およびＰＤＮ（パケットデータネットワーク）ゲートウェイ１４６を含むことができる。上記の要素のそれぞれはコアネットワーク１０６の一部として示されているが、これらの要素のうちの任意の１つがコアネットワークオペレータ以外のエンティティによって所有され、および／または操作され得ることを理解されたい。
【００３４】
ＭＭＥ１４２は、Ｓ１インターフェースを介してＲＡＮ１０４内のｅＮｏｄｅ−Ｂ１４２ａ、１４２ｂ、１４２ｃのそれぞれに接続され、制御ノードとして働き得る。例えば、ＭＭＥ１４２は、ＷＴＲＵ１０２ａ、１０２ｂ、１０２ｃのユーザの認証、ベアラのアクティブ化／非アクティブ化、ＷＴＲＵ１０２ａ、１０２ｂ、１０２ｃの初期アタッチ中の特定のサービングゲートウェイの選択などを行う役割を果たし得る。ＭＭＥ１４２は、ＲＡＮ１０４と、例えばＧＳＭやＷＣＤＭＡなど他の無線技術を使用する他のＲＡＮ（図示せず）との間での切替を行う制御プレーン機能を提供することもできる。
【００３５】
サービングゲートウェイ１４４は、Ｓ１インターフェースを介して、ＲＡＮ１０４におけるｅＮｏｄｅＢ１４０ａ、１４０ｂ、１４０ｃのそれぞれに接続され得る。サービングゲートウェイ１４４は、一般に、ＷＴＲＵ１０２ａ、１０２ｂ、１０２ｃへの／からのユーザデータパケットのルーティングおよび転送を行うことができる。サービングゲートウェイ１４４は、例えばｅＮｏｄｅＢ間ハンドオーバ中のユーザプレーンのアンカー、ダウンリンクデータがＷＴＲＵ１０２ａ、１０２ｂ、１０２ｃに使用可能であるときのページングのトリガ、ＷＴＲＵ１０２ａ、１０２ｂ、１０２ｃのコンテキストの管理および格納など、他の機能を実行することもできる。
【００３６】
ＷＴＲＵ１０２ａ、１０２ｂ、１０２ｃとＩＰ対応デバイスとの間の通信を容易にするために、例えばインターネット１１０などパケット交換網へのアクセスをＷＴＲＵ１０２ａ、１０２ｂ、１０２ｃに提供することができるＰＤＮゲートウェイ１４６に、サービングゲートウェイ１４４が接続されるようにしてもよい。
【００３７】
コアネットワーク１０６は、他のネットワークとの通信を容易にすることができる。例えば、コアネットワーク１０６は、ＷＴＲＵ１０２ａ、１０２ｂ、１０２ｃと従来の陸上線通信デバイスとの間の通信を容易にするために、例えばＰＳＴＮ１０８など回路交換網へのアクセスをＷＴＲＵ１０２ａ、１０２ｂ、１０２ｃに提供することができる。例えば、コアネットワーク１０６は、コアネットワーク１０６とＰＳＴＮ１０８との間のインターフェースとして働くＩＰゲートウェイ（例えばＩＭＳ（ＩＰマルチメディアサブシステム）サーバ）を含むことができ、またはそれと通信することができる。さらに、コアネットワーク１０６は、他のサービスプロバイダによって所有され、および／または作動される他の有線または無線のネットワークを含み得るネットワーク１１２へのアクセスをＷＴＲＵ１０２ａ、１０２ｂ、１０２ｃに提供することができる。
【００３８】
３ＧＰＰ（Third Generation Partnership Project）ＬＴＥ（long term evolution）Ｒ８（Release 8）ＵＬ（アップリンク）ＷＴＲＵ（無線送受信ユニット）は、単一のアンテナを含んでいてもよく、したがって、ＬＴＥ  Ｒ８でのＵＬ電力制御機能は、単一の送信アンテナからの信号送信に適用される。ＵＬ電力制御は、単一の送信アンテナでのＰＵＳＣＨ（物理アップリンク共有チャネル）送信、ＰＵＣＣＨ（物理アップリンク制御チャネル）送信、およびＳＲＳ（サウンディング基準信号）に適用される。
【００３９】
ＬＴＥ−Ａ（ＬＴＥ−Ａｄｖａｎｃｅｄ）は、複数（例えば最高４本）のＷＴＲＵ送信アンテナをサポートすることができる。ＬＴＥ−Ａ  ＰＵＳＣＨ送信では、プリコーディングＳＭ（空間多重化）ＭＩＭＯ、送信ダイバーシティ、およびシングルアンテナポート送信を含めて、いくつかのＳＵ（シングルユーザ）ＭＩＭＯモード（本明細書では、送信モードまたは送信方式とも呼ばれる）が適用可能であり得る。ｅＮＢは、ＰＵＳＣＨ送信に特定のＭＩＭＯモード（または送信方式）を使用するようにＷＴＲＵを構成することができる。同様に、ＬＴＥ−ＡでのＰＵＣＣＨ送信では、ｅＮＢが上位層シグナリングを介してＭＩＭＯモード（または送信方式）を構成することができることが予想され得る。例えば、複数の送信アンテナを有するＬＴＥ−Ａ  ＷＴＲＵがＲ８ネットワークで動作するとき、ＷＴＲＵは、フォールバック構成（例えば、シングルアンテナポート送信）に戻る必要がある場合がある。
【００４０】
通常、異なるＭＩＭＯモードは、異なるＭＩＭＯ（アンテナ）利得を有する。例えば、ＳＴＴＤ（時空間送信ダイバーシティ：space time transmit diversity）のＭＩＭＯ利得（または送信ダイバーシティ利得）は約３ｄＢ（シングルアンテナ送信と比較して）であり、一方、（ランク１）ＢＦ（ビーム形成）ＭＩＭＯモードは平均してＳＴＴＤより多くの利得を有し得る。所与の送信電力レベルについて、受信電力レベルは、様々なＭＩＭＯモードの中で異なり得る。本明細書に記載されているように、ＬＴＥ−Ａ  ＵＬ  ＭＩＭＯ送信における異なるＭＩＭＯ利得に適応させるために電力制御方法が使用され得る。
【００４１】
ＵＬでの送信に複数の送信アンテナを使用することは、ＭＩＭＯでのＡＧＩ（アンテナ利得アンバランス）問題をもたらす可能性がある。複数のアンテナが異なる平均受信ＳＮＲ（信号対雑音比）を受信するため、または、複数のアンテナが異なるアンテナ利得で送信を行うため、ＡＧＩは、例えば、リンクの非効率を作り出すことがある。例えば、異なるアンテナにわたるパスロス測定は、ＷＴＲＵにおける各送信アンテナの場所によって異なり得る（例えば、アンテナはハンドヘルドＷＴＲＵにおいてブロックされ得る）。しかし、ＡＧＩは、本明細書に記載されているように、電力制御方法を使用して補償され得る。
【００４２】
Ｒ１０  ＷＴＲＵがＲ８ネットワークで動作し、ＷＴＲＵが複数の送信アンテナを有することをＲ８ネットワークが知らないとき、シングルアンテナポート送信（シングルアンテナ送信または任意の相当するトランスペアレント伝送）は、下位互換性のために、Ｒ１０  ＷＴＲＵに使用され得る。すなわち、Ｒ１０  ＷＴＲＵは、例えばＲ８ネットワークに透過なＰＶＳ（プリコーディングベクトル切替：precoding vector switching）、ＣＤＤ（巡回遅延ダイバーシティ：cyclic delay diversity）、送信アンテナ切替／選択、またはシングルアンテナポート送信（例えば、送信ビーム形成）など、フォールバックモード（例えば、トランスペアレント伝送モード）に戻るように構成され得る。Ｒ１０  ＷＴＲＵの電力制御は、本明細書に記載されているように構成され得る。
【００４３】
複数の送信アンテナを有するＷＴＲＵに対処する電力制御方法が本明細書に記載されている。１つの方法例は、異なるＵＬ  ＭＩＭＯモードを使用するときのＰＵＣＣＨ送信の電力制御を対象とする。この方法は、異なるＭＩＭＯモード（または送信方式）のＰＵＣＣＨ送信と関連した異なるアンテナ利得を考慮に入れる。別の方法例は、異なるＵＬ  ＭＩＭＯモード（または送信方式）を使用するときのＳＲＳ送信の電力制御を対象とする。この方法は、ＭＩＭＯ送信について、ＳＲＳおよびＰＵＳＣＨの送信が別々に構成され得るという事実を考慮に入れる。別の方法例は、複数の送信アンテナ構成のＡＧＩ補償を提供する。この方法例は、複数のアンテナから受信された信号間の平均受信ＳＮＲの差をＡＧＩがもたらすことに起因する影響に対処する。別の方法例は、フォールバック伝送モードのための電力制御方法を提供する。
【００４４】
方法例は、ＵＬ  ＭＩＭＯに関して記載されているが、キャリアアグリゲーション（carrier aggregation）のサポートを含むように拡張されてもよい。
【００４５】
指定されたＵＬ  ＭＩＭＯモードを使用したＰＵＣＣＨ送信のための電力制御方法が本明細書に記載されている。ＬＴＥ−Ａでは、複数のＭＩＭＯモードオプションは、例えば、シングルアンテナポート送信および送信ダイバーシティ（例えば、２つの送信アンテナを有するマルチリソースＰＵＣＣＨ送信のためのＳＯＲＴＤ（空間直交リソース送信ダイバーシティ：spatial orthogonal resource transmit diversity））を含むＰＵＣＣＨ送信について検討され得る。例えば、異なるＭＩＭＯモードは異なるアンテナ／ビーム形式／送信ダイバーシティ利得を有し得るので、個々のＭＩＭＯモードの送信電力レベルは異なり得る。したがって、式（１）に従って、ＬＴＥ電力制御の式がＬＴＥ−Ａ  ＰＵＣＣＨ送信のために変更され得る。
ＰPUCCH（ｉ）＝ｍｉｎ｛ＰCMAXc，ＰO_PUCCH＋ＰＬ＋ｈ（ｎCQ1，ｎHARQ）＋ΔF_PUCCH（Ｆ）＋ｇ（ｉ）＋ΔPUCCH_MIMO｝  （１）
ここで、式（１）のいくつかの項が以下で要約される。
ＰCMAX,cは、一次セルのＣＣ（サービングセル）に固有の最大送信電力値を（ＬＴＥ−Ａにおいて、ＰＵＣＣＨが一次セルでのみ送信されることに留意して）表すために使用され、それは、信号で送られたサービングセルｃの最大電力値ＰMax,c、ＷＴＲＵ電力クラスの最大電力、ＭＰＲ（最大電力低減：maximum power reduction）許容、許容度などのうちの１つまたは複数を考慮に入れ得る。ＰCMAX,cは、ＣＣについての構成された最大電力（または構成された最大送信電力）と呼ばれ得る。ＰO_PUCCHは、上位層によって提供される（セル固有の）パラメータＰO_NOMINAL_PUCCHと上位層によって提供される（ＷＴＲＵに固有の）成分ＰO_WTRU_PUCCHとの合計から成るパラメータであり、ＰＬは、ｄＢ単位のＷＴＲＵで算出されるダウンリンクパスロス推定であり、ｈ（ｎCQI，ｎHARQ）は、ＰＵＣＣＨフォーマット依存の値であり、この場合、ｎCQIは、ＣＱＩ（チャネル品質情報）についての情報ビットの数に対応し、ｎHARQは、ＨＡＲＱ  ＡＣＫ／ＮＡＣＫ（肯定応答／否定応答）ビットの数である。ΔF_PUCCH（Ｆ）は、上位層によって提供され、この場合、各ΔF_PUCCH（Ｆ）値は、ＰＵＣＣＨフォーマット１ａに対するＰＵＣＣＨフォーマット（Ｆ）に対応し、この場合、各ＰＵＣＣＨフォーマット（Ｆ）が定義され、
【００４６】
【数１】
2014171260.tif 000003
【００４７】
式中、ｇ（ｉ）は、現在のＰＵＣＣＨ電力制御調整状態であり、ｇ（０）は、リセットの後の第１の値であり、δPUCCHは、ＷＴＲＵに固有の補正値であり、ＴＰＣコマンド（送信電力コマンド：transmit power command）とも呼ばれ、例えばＤＣＩ（ダウンリンク制御情報：downlink control information）フォーマット１Ａ／１Ｂ／１Ｄ／１／２Ａ／２／２Ｂ（一次セル）でＰＤＣＣＨ（物理ダウンリンク制御チャネル）に含まれる、または、例えばＣＲＣ（巡回冗長検査）パリティビットがＴＰＣ−ＰＵＣＣＨ−ＲＮＴＩ（ＴＰＣ−ＰＵＣＣＨ無線ネットワーク一時識別子：TPC-PUCCH-radio network temporary identifier）でスクランブルされるＤＣＩフォーマット３／３Ａで、ＰＤＣＣＨ上で他のＷＴＲＵに固有のＰＵＣＣＨ補正値と共に符号化されて送信される。
【００４８】
項ΔPUCCH_MIMOは、ＷＴＲＵに固有のＰＵＣＣＨのＭＩＭＯ電力オフセットであり、ＰＵＣＣＨに適用されるＭＩＭＯモードに依存する。一旦ＰＵＣＣＨの送信モードがＷＴＲＵに示されると、ＰＵＣＣＨ  ＭＩＭＯ電力オフセットがＷＴＲＵによって決定され得る。あるいは、ＰＵＣＣＨ  ＭＩＭＯ電力オフセットは、ＷＴＲＵに提供され得る。
【００４９】
ＷＴＲＵは、様々な方法を使用してＰＵＣＣＨ  ＭＩＭＯ電力オフセットを決定することができる。１つの方法例において、ΔPUCCH_MIMOは、例えば準静的シグナリング（semi static signaling）を介してＬＵＴ（ルックアップテーブル）を使用することによって、上位層によって提供され得る。あるいは、ΔPUCCH_MIMOは、予め定義された値でもよい（およびしたがって、任意のシグナリングを必要としない場合がある）。表１は、ΔPUCCH_MIMOを取得するために使用され得るＬＵＴの例である。変数は、異なる実施形態ごとに異なり得る値と置き換えられてもよい。例えば、Δ1およびΔ2はそれぞれ、−３ｄＢおよび−６ｄＢとすることができ、Δ5およびΔ6は、０ｄＢ（または０≦Δ5＜３ｄＢ、０≦Δ5＜３ｄＢ）とすることができる。
【００５０】
【表１】
2014171260.tif 000004
【００５１】
ＬＵＴ（ルックアップテーブル）がΔPUCCH_MIMOに使用される場合、ＬＵＴは、すべてのＷＴＲＵについて同じでもよく、したがってブロードキャストされてもよい。ＷＴＲＵは、使用時にＭＩＭＯモードに対応するΔPUCCH_MIMOの値をテーブルから選択することができる。
【００５２】
別の実施形態によれば、ｅＮＢは、ＷＴＲＵにΔPUCCH_MIMOの値を信号で送ることができる。この場合、値は、ＷＴＲＵに固有でもよく、例えば、専用のシグナリングを介して信号で送られ得る。
【００５３】
別の実施形態によれば、ΔPUCCH_MIMOの値は、例えばＰO_PUCCH（例えば、ＰO_UE_PUCCH）またはΔF_PUCCH（Ｆ）など既存の電力制御パラメータに吸収されてもよい。この場合、ΔPUCCH_MIMOは、式（１）のＰＵＣＣＨ電力制御から取り除かれ得る。ΔPUCCH_MIMOは現在ＰO_PUCCH（またはΔF_PUCCH（Ｆ））に追加されているので、それに応じてＰO_UE_PUCCH（またはΔF_PUCCH（Ｆ））の範囲が変更される必要がある場合もある。
【００５４】
いずれにせよ、算出されたＷＴＲＵ送信電力は、ＷＴＲＵのアクティブなアンテナ（またはアンテナポート）間に均一に分散され得る。
【００５５】
図２を参照すると、本明細書に記載されているように、ＵＬ（アップリンク）ＭＩＭＯ（多入力多出力）を使用するときの物理アップリンクチャネル送信の電力制御フローチャート２００の一例が示されている。最初に、ＷＴＲＵは、基地局またはｅＮＢからＵＬ  ＭＩＭＯモード選択を受信することができる（２１０）。次いで、ＷＴＲＵは、選択されたＵＬ  ＭＩＭＯモードに基づいてＭＩＭＯオフセットを決定することができる（２２０）。次いで、ＷＴＲＵは、ＭＩＭＯオフセットに一部分基づいてＰＵＣＣＨ送信電力を算出することができる（２３０）。次いで、ＰＵＣＣＨ送信電力は、送信アンテナ間に均一に分散され得る（２４０）。例えば、ＰＵＣＣＨ送信電力は、アクティブな送信アンテナ（またはアンテナポート）間に分散され得る。ＷＴＲＵは、算出された送信電力を使用してＰＵＣＣＨを介して情報を送信する（２５０）。
【００５６】
指定されたＵＬ  ＭＩＭＯモードを使用したＳＲＳ送信のための電力制御方法が本明細書に記載されている。
【００５７】
ＬＴＥ  Ｒ８において、サブフレームｉ上で送信されるＳＲＳに関するＷＴＲＵ送信電力ＰSRSは、式（２）に示されたように定義され得る。
ＰSRS（ｉ）＝ｍｉｎ｛ＰCMAX，ＰSRS_OFFSET＋１０ｌｏｇ10（ＭSRS）＋ＰO_PUSCH（ｊ）＋α（ｊ）・ＰＬ＋ｆ（ｉ）｝［ｄＢｍ］  （２）
ここで、式（２）のいくつかの項が以下で要約される。
ＰCMAXは、構成された最大ＷＴＲＵ電力である。ＰSRS_OFFSETは、Ｋｓ＝１．２５の場合、範囲［−３，１２］ｄＢ内で１ｄＢステップサイズで上位層によって準静的に構成された４ビットのＷＴＲＵに固有のパラメータであり、Ｋｓ＝０の場合、ＰSRS_OFFSETは、範囲［−１０．５，１２］ｄＢ内で１．５ｄＢのステップサイズで上位層によって準静的に構成された４ビットのＷＴＲＵに固有のパラメータである。Ｋｓは、上位層によって提供されるＷＴＲＵに固有のパラメータｄｅｌｔａＭＣＳ−Ｅｎａｂｌｅｄによって提供される。ＭSRSは、リソースブロックの数で表されるサブフレームｉでのＳＲＳ送信の帯域幅である。ＰO_PUSCH(j)は、ｊ＝１の場合に上位層から提供される（セル固有の公称の）成分ＰO_NOMINAL_PUSCH（ｊ）と、ｊ＝１の場合に上位層から提供される（ＷＴＲＵに固有の）成分ＰO_WTRU_PUSCH(j)との合計から成るパラメータであり、ここでＰＵＳＣＨ（再）送信についてｊ＝１は、動的なスケジュールされた許可に対応する。α（ｊ）は、ｊ＝１、α∈｛０，０．４，０．５，０．６，０．７，０．８，０．９，１｝の場合、上位層によって提供される３ビットセル固有のパラメータである。ＰＬは、ｄＢ単位のＷＴＲＵで算出されるダウンリンクパスロス推定である。ｆ（ｉ）は、ＰＵＳＣＨについての現在の電力制御調整状態である。
【００５８】
例えば、ＬＴＥ  ＵＬ電力制御は、例えば１つのキャリアおよび１つの送信アンテナのみに限定され得る（例えば、ＬＴＥ  ＵＬは、ＳＵ−ＭＩＭＯ（シングルユーザＭＩＭＯ：single user MIMO）をサポートすることができない）。本明細書に記載されているように、ＬＴＥ−Ａにおいて、ＵＬ  ＳＵ−ＭＩＭＯおよびキャリアアグリゲーションがサポートされ、ＳＲＳの電力制御の式が変更され得る。
【００５９】
ＬＴＥ−ＡおよびＬＴＥの両方で、ＵＬサービングセル（成分キャリア）についての同じＴＰＣコマンドが、サービングセル上のＰＵＳＣＨおよびＳＲＳ送信のために使用され得る。さらに、ＰＵＳＣＨおよびＳＲＳの送信は、ＭＩＭＯモードで別々に構成されてもよく、例えば、ＰＵＳＣＨはプリコーディングＭＩＭＯで、しかしＳＲＳはシングルアンテナポート送信で、構成されてもよい。
【００６０】
上記の２つの態様を考慮して、電力制御方法は、サービングセルｃにおけるサブフレームｉのｎ番目のアンテナポート（または層）で送信されるＳＲＳのＷＴＲＵ送信電力を設定することが、式（３）に示されるように定義され得るように、ＬＴＥ  ＵＬ電力制御の式を変更することを含む。
ＰSRS,c（ｉ，ｎ）＝ｍｉｎ｛ＰCMAX,c，ＰSRS_OFFSET,c＋１０ｌｏｇ10（ＭSRS,c（ｉ，ｎ））＋ＰO_PUSCH,c（ｊ）＋αc（ｉ）・ＰＬc（ｎ）＋ｆc（ｉ）＋ΔSRS_MIMO｝  （３）
式中、ｎはアンテナポート（または層）指数であり、ｉは下位フレーム番号である。項ＰCMAX,cは、サービングセルｃについてのＣＣ（サービングセル）に固有の最大送信電力値を表すために使用され、信号で送られたサービングセルｃの最大電力値ＰMax,c、ＷＴＲＵ電力クラスの最大電力、ＭＰＲ（最大電力低減：maximum power reduction）許容、許容度などのうちの１つまたは複数を考慮に入れることができる。ＰCMAX,cは、サービングセルｃについての構成された最大電力（または構成された最大送信電力）と呼ばれ、ｆ（ｉ）は、サービングセルｃについてのＰＵＳＣＨの現在の電力制御調整状態である。
【００６１】
項ＰSRS_OFFSET,cは、上位層によってサービングセルｃについて準静的に構成されるパラメータである。ＰＵＳＣＨでのＵＬ  ＭＩＭＯ（例えば、最高４つのアンテナ）については、ＰＵＳＣＨ送信に関する様々なＭＩＭＯモード／オプション（ＳＭ  ＭＩＭＯ（ＳＭ（空間多重化）ＭＩＭＯ）、送信ダイバーシティ、およびＢＦ／シングルアンテナポート送信を含む）があり得る。しかし、複数のアンテナを有するＳＲＳ送信モードは、例えばマルチアンテナポート送信またはシングルアンテナポート送信など、決定論的（または準静的）であり得る。その場合、ＰＵＳＣＨに関して、異なるＰSRS_OFFSET,c値が異なるＭＩＭＯオプションに必要とされる場合がある。ＰSRS_OFFSET,c値の範囲は、それに応じて変更され得る。
【００６２】
項ＭSRS,c（ｉ，ｎ）は、ＲＢ（リソースブロック）の数に関して、サブフレームｉおよびサービングセルｃにおけるｎ番目のアンテナポート（または層）上のＳＲＳ送信の帯域幅（ＢＷ）である。例えば、ＭＩＭＯにおけるＳＲＳオーバーヘッドを低減するために、各アンテナポート（または層）が異なる（柔軟な）数のＲＢを使用することが可能であり得る（例えば、周波数における異なるＳＲＳ密度を許容する）。あるいは、ＭSRS,c（ｉ，ｎ）は、すべてのｎについて同じでもよい。この場合、指数ｎは、取り除かれてもよい。
【００６３】
項ＰＬc（ｎ）は、サービングセルｃでのＷＴＲＵにおけるｎ番目のアンテナポートについてｄＢ単位で算出されるパスロス推定である。同じパスロスがすべてのアンテナポートについて使用されてもよい。この場合、ＰＬc（ｎ）＝ＰＬcとなるように、指数が取り除かれてもよい。
【００６４】
ＬＴＥ−Ａでは、ＰO_PUSCH,c（ｊ）は、ｊが送信モードおよびＭＩＭＯモードを表すように、ＵＬ  ＭＩＭＯに拡張されてもよい。例えば、ｊ＝０，１，２は、ＬＴＥと同じ送信モードを表し、ｊ＝３，４，５，…，Ｍは、ＰＵＳＣＨ送信についてのＭＩＭＯモードを表すことができる。あるいは、ＬＴＥと同様に、ｊはＰO_PUSCH,c（ｊ）については１に固定される。
【００６５】
項ΔSRS_MIMOは、ＳＲＳ  ＭＩＭＯオフセットパラメータであり、これはＰＵＳＣＨに使用されるＭＩＭＯモードとＳＲＳに使用されるＭＩＭＯモードとの間のＭＩＭＯ利得差を表す。ＳＲＳがプリコーディングされてもよいことに留意されたい。例えば、ＰＵＳＣＨがシングルアンテナポートモードを使用し、ＳＲＳが複数のアンテナ（例えば２つのアンテナ）を介して送信されるとき、ΔSRS_MIMOは、約３ｄＢに設定され得る。ΔSRS_MIMOは、例えば準静的シグナリングを介してルックアップテーブルを使用することによって、上位層によって提供され得る。表２は、ΔSRS_MIMOについてのＬＵＴ例である。変数は、特定の方法に依存し得る値と置き換えられてもよい。
【００６６】
【表２】
2014171260.tif 000005
【００６７】
ＬＵＴは、ΔSRS_MIMOに使用される場合、すべてのＷＴＲＵについて同じでもよく、ブロードキャストされ得る。この場合、ＷＴＲＵは、ＰＵＳＣＨ送信に適用されるＭＩＭＯモード、およびＳＲＳ送信に適用されるＭＩＭＯモードに対応するΔSRS_MIMOの値をテーブルから選択することができる。
【００６８】
あるいは、ｅＮＢは、ＷＴＲＵにΔSRS_MIMOの値の信号で送ることができ、この場合、値は、ＷＴＲＵに固有である。例えば、ΔSRS_MIMOは、ＰＤＣＣＨ（例えば、ＵＬ許可）で信号で送られ得る。あるいは、ΔSRS_MIMOは、（例えばＲＲＣシグナリングを介して）上位層によって信号で送られ得る。
【００６９】
別の方法例によれば、ΔSRS_MIMOは、ＰO_PUSCH,c（例えば、ＰO_UE_PUSCH,c）またはＰSRS_OFFSET,cなど既存の電力制御パラメータに吸収されてもよく、したがって項ΔSRS_MIMOが式（３）から取り除かれ得る。この場合、ΔSRS_MIMOを考慮に入れるために、ＰO_UE_PUSCH,cまたはＰSRS_OFFSET,cの範囲が変更される必要がある場合がある。
【００７０】
別の実施形態において、ＳＲＳ帯域幅がサービングセルｃにおいて同時に送信されるすべてのアンテナポートについて同じである（すなわち、ＭSRS,c（ｉ，ｎ）＝ＭSRS,c（ｉ））とき、（アクティブな）アンテナポートを介したＳＲＳ送信の合計電力は、ＰSRS,c（ｉ）によって示され、式（４）に示されるように、サービングセルｃ上のサブフレームｉにおいて決定され得る。
ＰSRS,c（ｉ）＝ｍｉｎ｛ＰCMAX,c，ＰSRS_OFFSET,c＋１０ｌｏｇ10（ＭSRS,c（ｉ））＋ＰO_PUSCH,c（ｊ）＋αc（ｊ）・ＰＬc＋ｆc（ｉ）＋ΔSRS_MIMO｝  （４）
この場合、ＳＲＳについて算出された合計送信電力は、ＷＴＲＵのアクティブなアンテナ（またはアンテナポート）間に均一に分散され得る。変数／パラメータは、上記で定義されたようなものである。
【００７１】
ＵＬ  ＭＩＭＯ（例えば、最高４つのアンテナを有する）について、複数の送信アンテナ上の同時のＳＲＳ送信が行われる場合、アンテナ（またはアンテナポート）の数が増加するにつれて、アンテナ（またはアンテナポート）ごとのＳＲＳの送信電力密度は低くなり得る。これは、ｅＮＢでのチャネル推定性能を低下させ得る。推定性能のこの低下は、本明細書に記載されている方法例を使用して解決され得る。１つの方法例では、ｅＮＢは、上位層を介してＷＴＲＵに信号を送り、各ＳＲＳサブフレームにおけるシングルアンテナでの１つのＳＲＳ送信（または２つのアンテナ上の多くて２つのＳＲＳ送信）などのＳＲＳ送信についてＴＤＭ（時分割多重化）モードに切り替えることができる。
【００７２】
別の実施例方法において、複数のアンテナを介して同時に送信されるＳＲＳ送信についてのＷＴＲＵ送信電力の合計（すなわち合計（ＰSRS,C（ｉ，ｎ））、この場合、式（３）ですべてのアンテナポートｎにわたって集計が行われる）（または式（４）のＰCMAX,cに制限する前の合計ＳＲＳ送信電力）が予め定められた閾値だけ最大ＷＴＲＵ電力（またはサービングセルｃについての構成された送信電力ＰCMAX,c）を上回るとき、ＷＴＲＵは、次のＳＲＳサブフレームで送信されるべき１つのＳＲＳ（送信電力が使用可能である場合、場合によってはより多くのＳＲＳ）を選択することができる。選択は、ローテーション方法（rotation manner）に基づいていてもよい。
【００７３】
別の方法例において、ＳＲＳ  ＢＷ（帯域幅）（すなわちＭSRS（ｉ，ｎ）またはＭSRS（ｉ））は、ｅＮＢによって適切に調整され（または再構成され）、上位層を介してＷＴＲＵに信号で送られ得る。別の実施形態では、ＷＴＲＵが閾値によって制限される電力である（例えば、式（４）のＰCMAX,cに制限する前の合計ＳＲＳ送信電力がＰCMAX,c（またはＰpowerclassによって示されるＷＴＲＵ電力クラス）を超える）とき、ＷＴＲＵは、（マルチアンテナポート送信から）ＳＲＳでのシングルアンテナポート送信に切り替えるように（再）構成される。
【００７４】
複数のアンテナを介した同時のＳＲＳ送信について必要な送信電力の合計（式（３）の場合）が最大のＷＴＲＵ電力（またはサービングセルｃについての構成された送信電力ＰCMAX,c）を超える場合の電力低減方法が本明細書に記載されている。１つの方法例において、個々のＳＲＳ送信の送信電力は、最大電力の制約を満たすために、均一に低減され得る。別の方法例において、ＰCMAX,cは、式（３）のＰＡ（パワーアンプ：power amplifier）ごとに定義され得る。この方法では、構成された（ＷＴＲＵ）送信電力は、複数のＰＡ間に均一に分散され得る。すなわち、Ｐｃｍａｘ，ｃpa（ｄＢ）＝Ｐｃｍａｘ，ｃ−１０×ｌｏｇ１０（Ｎｐａ）であり、この場合、Ｎｐａは、サービングセルｃについての所与のＳＲＳサブフレームでのＷＴＲＵにおけるアクティブなＰＡの数である。式（３）に関して、Ｐｃｍａｘ，ｃpaがＰｃｍａｘ，ｃと置き換えられる。この場合、ΣＰｃｍａｘ，ｃpaは、Ｐｃｍａｘ，ｃ以下であり得る。
【００７５】
図３を参照すると、本明細書に記載されているＵＬ  ＭＩＭＯを使用するときのＳＲＳ送信の電力制御フローチャート３００の一例が示されている。最初に、ＷＴＲＵは、基地局またはｅＮＢからＳＲＳ送信についてのＵＬ  ＭＩＭＯモード選択／構成を受信することができる（３１０）。次いで、ＷＴＲＵは、基地局からＰSRS_OFFSET,cを受信することができる（３２０）。次いで、ＷＴＲＵは、ＰＵＳＣＨでのＵＬ  ＭＩＭＯモードおよびＳＲＳでのＭＩＭＯ送信モードに基づいてΔSRS_MIMOオフセットを決定することができる（３３０）。あるいは、上述したように、ＰSRS_OFFSET,cは、ΔSRS_MIMOを含むことができ、この場合、ＰSRS_OFFSET,cは、選択されたＵＬ  ＭＩＭＯモードに基づき得る。次いで、ＳＲＳ送信電力は、ＰSRS_OFFSET,cおよびΔSRS_MIMOオフセットに一部分基づいて算出される（３４０）。ＷＴＲＵは、（合計）ＳＲＳ送信電力が、例えば構成されたＷＴＲＵ最大送信電力など閾値より大きい場合、電力低減方法を実行することができる（３６０）。これは、例えばＷＴＲＵが同時のＳＲＳ送信を送信している場合、起こり得る。ＷＴＲＵは、ＳＲＳ送信電力で、ＳＲＳを送信する（３７０）。
【００７６】
ＡＧＩ（アンテナ利得アンバランス：antenna gain imbalance）に対処する電力制御方法が本明細書に記載されている。複数のアンテナ送信がＵＬにおいてなされるときに、ＡＧＩの問題があり得る。これは、複数のアンテナから受信された信号の間に平均受信ＳＮＲ（信号対雑音比）の差をもたらす可能性があるため、リンクの非効率を作り出すことがある。例えば、異なるアンテナにわたるパスロス測定は、ＷＴＲＵにおける各送信アンテナの場所によって異なり得る（例えば、アンテナはハンドヘルドＷＴＲＵにおいてブロックされ得る）。ＡＧＩは、本明細書に記載された電力制御方法を使用することによって補償され得る。
【００７７】
１つの方法例において、ＷＴＲＵは、ＡＧＩ推定、続いてＡＧＩ補償を実行する。ＡＧＩ推定では、ＷＴＲＵは、各アンテナ（またはアンテナポート）上のＲＳＲＰ（基準信号受信電力：Reference Signal Received Power）測定を実行することができる。キャリアアグリゲーションの場合、ＲＳＲＰ測定は、ＤＬ（ダウンリンク）アンカーもしくは主要なＣＣ（成分キャリア：component carrier）（すなわち一次セル）、またはＵＬサービングセル（ＣＣ）と関連した基準ＤＬ  ＣＣ上で実行され得る。あるいは、すべての構成されたＤＬ  ＣＣがＲＳＲＰ測定に使用されてもよい。フィルタ手法がＲＳＲＰ測定に使用されてもよい。例えば、上位層（例えばレイヤ３）フィルタ構成がＲＳＲＰ測定に使用され得る。
【００７８】
各アンテナ（またはアンテナポート）上のＲＳＲＰ測定に基づいて、ＷＴＲＵは、ＵＬ送信に使用されるアンテナ（またはアンテナポート）中のＡＧＩを推定することができる。ＡＧＩは、基準送信アンテナに対して変倍された（scaled）相対的なＡＧＩによって表され得る。
【００７９】
ＷＴＲＵは、個々の送信アンテナ（またはアンテナポート）上のＡＧＩを推定した後、各送信アンテナにおいてＡＧＩ補償を実行する。ＷＴＲＵは、ＡＧＩの悪影響を補償するために、各送信アンテナを変倍することができる。例えば、ＷＴＲＵがＮ本の送信アンテナを含み、各アンテナの推定されたＡＧＩは、線形目盛上にＡＧＩ（ｉ）として示される（ｉはアンテナ指数である）。ＷＴＲＵは、ＡＧＩ補償倍数（β（ｉ））だけ、各送信アンテナを変倍することができる。
【００８０】
【数２】
2014171260.tif 000006
【００８１】
式中、ＡＧＩ（ｉ）≦１である。
【００８２】
他の方法では、ｅＮＢは、ＷＴＲＵの個々の送信アンテナ（またはアンテナポート）におけるＡＧＩを推定し、Ｌ１層（例えば、アンテナ当たりＴＰＣコマンドを提供することに類似）または上位層（例えばＲＲＣ（無線リソース制御）シグナリング）を介してＷＴＲＵのＡＧＩ補償率を提供することができる。例えば、上記のＡＧＩ補償倍率（β（ｉ））は、ｅＮＢによって決定され、次いでＲＲＣシグナリングを介してＷＴＲＵに信号で送られ得る。
【００８３】
他の方法では、各送信アンテナ（またはアンテナポート）のＡＧＩが閾値と比較されてもよく、ＡＧＩ値が高すぎるアンテナは、オフにされるか、または例えばシングルアンテナポート送信モードにフォールバックされてもよい。例えば、ある送信アンテナからのＡＧＩがリンク性能にあまりにも悪影響を与える（例えば、ＡＧＩ値が高すぎる）場合、ＷＴＲＵは、ＡＧＩ値が高すぎるアンテナをオフにするか、または別のモード（例えば、シングルアンテナポート送信モード）にフォールバックすることができる。
【００８４】
図４を参照すると、本明細書に記載されているＡＧＩ補償の電力制御フローチャート４００の一例が示されている。最初に、ＷＴＲＵは、ＲＳＲＰ測定を実行することができる（４１０）。次いで、ＷＴＲＵは、ＲＳＲＰに基づいて、ＡＧＩ推定を決定することができる（４２０）。次いで、ＷＴＲＵは、ＡＧＩ補償倍率を各送信アンテナに適用することができる（４３０）。
【００８５】
図５を参照すると、本明細書に記載されているＡＧＩ補償の別の電力制御フローチャート５００の一例が示される。最初に、基地局は、ＷＴＲＵのＡＧＩ推定を決定することができる（５１０）。次いで、ＷＴＲＵは、基地局からＡＧＩ補償率を受信することができる（５２０）。次いで、ＷＴＲＵは、各送信アンテナにＡＧＩ補償率を適用することができる（５３０）。
【００８６】
フォールバック送信モードのための電力制御方法が本明細書に記載されている。一例として、ＷＴＲＵ（例えば、ＬＴＥ  Ｒ１０など、特定のネットワークで動作するように構成された）は、（例えば、ＬＴＥ  Ｒ８）ネットワークで使用されるように構成されたネットワークであり、例えば、ＷＴＲＵが複数の送信アンテナを有することを知らないネットワーク以外のネットワークで動作するとき、別のモード、シングルアンテナ（ポート）送信モード（または同等のトランスペアレント送信モード））などで動作して、例えば下位互換性を利用することができる。換言すれば、一実施形態例において、Ｒ１０  ＷＴＲＵは、Ｒ８ネットワークに透過なＰＶＳ（プリコーディングベクトル切替：precoding vector switching）、ＣＤＤ（巡回遅延ダイバーシティ：cyclic delay diversity）、またはシングルアンテナポート送信（例えば、送信ビーム形成）など、フォールバックモード（例えば、トランスペアレント送信モード）に戻るように構成され得る。また、ＷＴＲＵは、いくつかの他のケースで、フォールバック送信モードになるように構成されてもよい。例えば、ＷＴＲＵのＵＬ  ＭＩＭＯチャネルが互いにかなり関連しているとき、ＷＴＲＵは、送信ビーム形成を使用することができる。この例では、Ｒ１０  ＷＴＲＵの電力制御は、それに応じて構成される必要があり得る。フォールバック送信のための電力制御方法例において、ＷＴＲＵがある物理チャネルについてフォールバック送信モードであるとき、ｅＮＢおよびＷＴＲＵは、その物理チャネルについてＬＴＥ  Ｒ８電力制御方法（またはシングルアンテナポート送信のための電力制御方法）を操作することができる。
【００８７】
実施形態
１．複数のアンテナを有するＷＴＲＵ（無線送受信ユニット）のための電力制御方法であって、複数のＭＩＭＯモードから選択されたＵＬ（アップリンク）ＭＩＭＯ（多入力多出力）モードを受信するステップを含む方法。
【００８８】
２．少なくともＵＬ  ＭＩＭＯモードに基づいて、ＰＵＣＣＨ（物理アップリンク制御チャネル）送信電力を決定するステップをさらに含む実施形態１に記載の方法。
【００８９】
３．ＵＬ  ＭＩＭＯモードに対応するＭＩＭＯオフセットを決定するステップをさらに含む上記の実施形態のいずれか一項に記載の方法。
【００９０】
４．ＰＵＣＣＨ送信電力を複数のアンテナ間に分散させるステップをさらに含む上記の実施形態のいずれか一項に記載の方法。
【００９１】
５．複数のアンテナはアクティブな送信アンテナである上記の実施形態のいずれか一項に記載の方法。
【００９２】
６．ＭＩＭＯオフセットは、ルックアップテーブルによって決定される上記の実施形態のいずれか一項に記載の方法。
【００９３】
７．少なくともＵＬ  ＭＩＭＯモードに基づいて、ＳＲＳ（サウンディング基準信号）送信電力を決定するステップをさらに含む上記の実施形態のいずれか一項に記載の方法。
【００９４】
８．ＡＧＩ（アンテナ利得アンバランス）推定を決定するステップをさらに含む上記の実施形態のいずれか一項に記載の方法。
【００９５】
９．ＡＧＩ推定に基づいてＡＧＩ補償を複数のアンテナのそれぞれに適用するステップをさらに含む上記の実施形態のいずれか一項に記載の方法。
【００９６】
１０．予め定められたイベントのためにＵＬ  ＭＩＭＯモードにフォールバックするステップをさらに含む上記の実施形態のいずれか一項に記載の方法。
【００９７】
１１．従来の電力制御方法を使用して送信電力を決定するステップをさらに含む上記の実施形態のいずれか一項に記載の方法。
【００９８】
１２．複数のＭＩＭＯモードから選択されたＵＬ（アップリンク）ＭＩＭＯ（多入力多出力）モードを受信するステップを含む、複数のアンテナを有するＷＴＲＵ（無線送受信ユニット）のための電力制御方法。
【００９９】
１３．少なくともＵＬ  ＭＩＭＯモードに基づいて、ＳＲＳ（サウンディング基準信号）送信電力を決定するステップをさらに含む実施形態１２に記載の方法。
【０１００】
１４．ＵＬ  ＭＩＭＯモードに基づいてＰSRS_OFFSET,cを受信するステップであって、ＰSRS_OFFSET,cは、サービングセルｃについてのＳＲＳ  ＭＩＭＯオフセットを含む、ステップをさらに含む実施形態１２〜１３のいずれか一項に記載の方法。
【０１０１】
１５．ＰＵＳＣＨ（物理アップリンク共通チャネル）でのＵＬ  ＭＩＭＯモードおよびＳＲＳでのＭＩＭＯモードに基づいてＳＲＳ  ＭＩＭＯモードを決定するステップをさらに含む実施形態１２〜１４のいずれか一項に記載の方法。
【０１０２】
１６．同時のＳＲＳ送信のためにＳＲＳ送信電力を調整するステップをさらに含む実施形態１２〜１５のいずれか一項に記載の方法。
【０１０３】
１７．ＳＲＳ送信電力が閾値を超える状態でＳＲＳ送信電力を均一に低減するステップをさらに含む実施形態１２〜１６のいずれか一項に記載の方法。
【０１０４】
１８．各送信アンテナ上のＲＳＲＰ（基準信号受信電力）を測定するステップを含む、複数のアンテナを有するＷＴＲＵ（無線送受信ユニット）のための電力制御方法。
【０１０５】
１９．測定されたＲＳＲＰに基づいてそれぞれの送信アンテナごとにＡＧＩ（アンテナ利得アンバランス）を推定するステップをさらに含む実施形態１８に記載の方法。
【０１０６】
２０．ＡＧＩ補償倍率を各送信アンテナに適用するステップであって、ＡＧＩ補償倍率は推定されたＡＧＩに基づく、ステップをさらに含む実施形態１８〜１９のいずれか一項に記載の方法。
【０１０７】
２１．推定されたＡＧＩは、基準送信アンテナに対して変倍された相対的なＡＧＩによる実施形態１８〜２０いずれか一項に記載の方法。
【０１０８】
２２．ＡＧＩ（アンテナ利得アンバランス）補正率を受信するステップを含む、複数のアンテナを有するＷＴＲＵ（無線送受信ユニット）のための電力制御方法。
【０１０９】
２３．ＡＧＩ補償率を各送信アンテナに適用するステップであって、ＡＧＩ補償率はＷＴＲＵに対して実行されたＡＧＩ推定に基づく、ステップをさらに含む実施形態２２に記載の方法。
【０１１０】
２４．予め定められたイベントのためにＵＬ  ＭＩＭＯ（アップリンク多入力多出力）モードにフォールバックするステップを含むＷＴＲＵ（無線送受信ユニット）のための電力制御方法。
【０１１１】
２５．従来の電力制御方法を使用してフォールバックＵＬ  ＭＩＭＯモードの送信電力を決定するステップをさらに含む実施形態２４に記載の方法。
【０１１２】
２６．複数のＭＩＭＯモードから選択されたＵＬ（アップリンク）ＭＩＭＯ（多入力多出力）モードを受信するように構成された受信機を含むＷＴＲＵ（無線送受信ユニット）。
【０１１３】
２７．少なくともＵＬ  ＭＩＭＯモードに基づいて、ＰＵＣＣＨ（物理アップリンク制御チャネル）送信電力を決定するように構成されたプロセッサをさらに含む実施形態２６に記載のＷＴＲＵ。
【０１１４】
２８．ＡＧＩ（アンテナ利得アンバランス）補正率を受信するように構成された受信機を含むＷＴＲＵ（無線送受信ユニット）。
【０１１５】
２９．ＡＧＩ補償率を各送信アンテナに適用するように構成されたプロセッサであって、ＡＧＩ補償率はＷＴＲＵに対して実行されたＡＧＩ推定に基づく、プロセッサをさらに含む実施形態２８に記載のＷＴＲＵ。
【０１１６】
３０．予め定められたイベントのためにＵＬ  ＭＩＭＯ（アップリンク多入力多出力）モードにフォールバックするように構成されたプロセッサを含むＷＴＲＵ（無線送受信ユニット）。
【０１１７】
３１．従来の電力制御方法を使用してフォールバックＵＬ  ＭＩＭＯモードの送信電力を決定するように構成されたプロセッサをさらに含む実施形態３０に記載のＷＴＲＵ。
【０１１８】
３２．複数の可能なＵＬ  ＭＩＭＯモードから動作させるべきＵＬ  ＭＩＭＯモードを選択するステップを含む、複数のアンテナを有し、ＵＬ（アップリンク）ＭＩＭＯ（多入力多出力）モードで動作するＷＴＲＵ（無線送受信ユニット）のためのＰＵＣＣＨ（物理アップリンク制御チャネル）送信のための強化された電力制御方法。
【０１１９】
３３．ＰＵＣＣＨ送信の電力を新しいレベルに変更するステップであって、新しいレベルは選択されたＭＩＭＯモードに少なくとも一部分依存する、ステップをさらに含む実施形態３２に記載の方法。
【０１２０】
３４．複数の可能なＭＩＭＯモードは、シングルアンテナポート送信モード、および送信ダイバーシティモードを含む実施形態３２〜３３のいずれか一項に記載の方法。
【０１２１】
３５．ＰＵＣＣＨ送信の電力を新しいレベルに変更するための変更された電力を計算するステップをさらに含む実施形態３２〜３４のいずれか一項に記載の方法。
【０１２２】
３６．ΔPUCCH_MIMOは、選択されたＭＩＭＯモードに応じて、ＷＴＲＵに固有である実施形態３２〜３５のいずれか一項に記載の方法。
【０１２３】
３７．ΔPUCCH_MIMOは、少なくとも１つの上位層によって提供される実施形態３２〜３６のいずれか一項に記載の方法。
【０１２４】
３８．ΔPUCCH_MIMOは、ＬＵＴ（ルックアップテーブル）によって決定される実施形態３２〜３７のいずれか一項に記載の方法。
【０１２５】
３９．ΔPUCCH_MIMOは、準静的シグナリングを介して少なくとも１つの上位層から信号で送られる実施形態３２〜３８のいずれか一項に記載の方法。
【０１２６】
４０．Δ1およびΔ2はそれぞれ３ｄＢおよび６ｄＢである実施形態３２〜３９のいずれか一項に記載の方法。
【０１２７】
４１．Δ5およびΔ6は０ｄＢである実施形態３２〜４０のいずれか一項に記載の方法。
【０１２８】
４２．０≦Δ5＜３ｄＢ、０≦Δ6＜３ｄＢである実施形態３２〜４１のいずれか一項に記載の方法。
【０１２９】
４３．ＬＵＴは、ＷＴＲＵおよび複数の他のＷＴＲＵについて同じであり、ブロードキャストされる実施形態３２〜４２のいずれか一項に記載の方法。
【０１３０】
４４．ｅＮＢ（発展型ネットワークノード）は、ＷＴＲＵにΔPUCCH_MIMOの値を信号で送り、値はＷＴＲＵに固有である実施形態３２〜４３のいずれか一項に記載の方法。
【０１３１】
４５．ｅＮＢは、専用のシグナリングを介してΔPUCCH_MIMOの値を信号で送る実施形態３２〜４４のいずれか一項に記載の方法。
【０１３２】
４６．ΔPUCCH_MIMOの値はＰO_PUCCHに吸収される実施形態３２〜４５のいずれか一項に記載の方法。
【０１３３】
４７．次いで、算出された変更電力は、ＰＵＣＣＨ送信の電力を変更するために、アクティブであるＷＴＲＵの複数のアンテナ間に均一に分散され得る実施形態３２〜４６のいずれか一項に記載の方法。
【０１３４】
４８．複数の可能なＵＬ  ＭＩＭＯモードから動作させるべきＭＩＭＯモードを選択するステップを含む、複数のアンテナを有し、ＵＬ（アップリンク）ＭＩＭＯ（多入力多出力）モードで動作するＷＴＲＵ（無線送受信ユニット）のためのＳＲＳ（サウンディング基準信号）送信のための強化された電力制御方法。
【０１３５】
４９．ＳＲＳ送信の電力を新しいレベルに変更するステップであって、新しいレベルは選択されたＭＩＭＯモードに少なくとも一部分依存する、ステップをさらに含む実施形態４８に記載の方法。
【０１３６】
５０．ＳＲＳ送信のＷＴＲＵ送信電力、ＰSRSを変更するステップをさらに含む実施形態４８〜４９のいずれか一項に記載の方法。
【０１３７】
５１．ＰSRS_OFFSETは、上位層によって準静的に構成されるＷＴＲＵに固有のパラメータである実施形態４８〜５０のいずれか一項に記載の方法。
【０１３８】
５２．ＭSRS（ｉ，ｎ）は、ＲＢ（無線搬送波）の数に関してサブフレームｉのｎ番目のアンテナポート上のＳＲＳ送信のＢＷ（帯域幅）である実施形態４８〜５１のいずれか一項に記載の方法。
【０１３９】
５３．ＰO_PUSCH（ｊ）の場合、ｊは、送信モードおよびＭＩＭＯモードを表す実施形態４８〜５２のいずれか一項に記載の方法。
【０１４０】
５４．ΔSRS_MIMOは、ＳＲＳ  ＭＩＭＯオフセットパラメータであり、オフセットは、ＷＴＲＵのＰＵＳＣＨ（物理アップリンク共通チャネル）送信に使用されるＭＩＭＯモードとＳＲＳ送信に使用されるＭＩＭＯモードとの間のＭＩＭＯ利得差を表す実施形態４８〜５３のいずれか一項に記載の方法。
【０１４１】
５５．ｅＮＢは、ＷＴＲＵにΔPUCCH_MIMOの値を信号で送り、値はＷＴＲＵに固有である実施形態４８〜５４のいずれか一項に記載の方法。
【０１４２】
５６．ｅＮＢは、上位層を介してＷＴＲＵに信号を送って、ＳＲＳ送信についてＴＤＭ（時分割多重化）モードに切り替える実施形態４８〜５５のいずれか一項に記載の方法。
【０１４３】
５７．複数のアンテナのうちの少なくとも２つの上の同時のＳＲＳ送信のために必要な送信電力の合計はＰｍａｘを超える実施形態４８〜５６のいずれか一項に記載の方法。
【０１４４】
５８．個々のＳＲＳ送信の送信電力は、最大電力の制約を満たすために、均一に低減される実施形態４８〜５７のいずれか一項に記載の方法。
【０１４５】
５９．Ｐｍａｘは、ＰＡ（パワーアンプ）ごとに定義され、合計最大ＷＴＲＵ送信電力は、Ｐｍａｘ（ｄＢ）＝Ｐｍａｘ−１０ｘｌｏｇ１０（Ｎｐａ）となるように、複数のＰＡ間に均一に分散され、Ｎｐａは、所与のＳＲＳサブフレームにおけるＷＴＲＵでのアクティブなＰＡの数である実施形態４８〜５８のいずれか一項に記載の方法。
【０１４６】
６０．ＳＲＳはプリコーディングされる実施形態４８〜５８のいずれか一項に記載の方法。
【０１４７】
６１．複数のアンテナのそれぞれのＲＳＲＰ（基準信号受信電力）を測定するステップを含む、複数のアンテナを有し、そのうちの少なくとも２つはＷＴＲＵのアップリンクＭＩＭＯモードで送信するように構成された送信アンテナである、ＷＴＲＵのための電力制御方法。
【０１４８】
６２．測定されたＲＳＲＰに基づいてそれぞれの送信アンテナごとにＡＧＩ（アンテナ利得アンバランス）を推定するステップをさらに含む実施形態６１に記載の方法。
【０１４９】
６３．各送信アンテナを、推定されたＡＧＩに基づくＡＧＩ倍率によって変倍するステップをさらに含む実施形態６１〜６２のいずれか一項に記載の方法。
【０１５０】
６４．推定されたＡＧＩは、基準送信アンテナに対して変倍された相対的なＡＧＩによって表される実施形態６１〜６３のいずれか一項に記載の方法。
【０１５１】
６５．ＡＧＩはＷＴＲＵにおいて個々の送信アンテナ上のｅＮＢによって推定され、ｅＮＢはＬＩまたは上位層を介してＷＴＲＵのＡＧＩ補償率を提供する実施形態６１〜６４のいずれか一項に記載の方法。
【０１５２】
６６．ＡＧＩ補償倍率β（ｉ）は、ｅＮＢによって決定され、次いでＲＲＣシグナリングを介してＷＴＲＵに信号で送られる実施形態６１〜６５のいずれか一項に記載の方法。
【０１５３】
６７．それぞれの送信アンテナごとの推定されたＡＧＩを閾値と比較して、それぞれの送信アンテナが有するＡＧＩが低すぎるかどうかを決定するステップをさらに含む実施形態６１〜６６のいずれか一項に記載の方法。
【０１５４】
６８．閾値未満のＡＧＩを有するアンテナごとに、送信アンテナをオフにすること、または送信アンテナにフォールバック操作モードに後退させることのうちの１つを実行するステップをさらに含む実施形態６１〜６７のいずれか一項に記載の方法。
【０１５５】
６９．フォールバック操作モードは、ＰＶＳ（プリコーディングベクトル切替）、ＣＤＤ（巡回遅延ダイバーシティ）、またはシングルアンテナポート送信のうちの任意の１つである実施形態６１〜６８のいずれか一項に記載の方法。
【０１５６】
特徴および要素が特定の組み合わせで上述されているが、各特徴または要素は単独で、または他の特徴および要素との組み合わせで使用され得ることを当業者であれば理解されよう。さらに、本明細書に記載されている方法は、コンピュータまたはプロセッサによる実行のためにコンピュータ可読媒体に組み込まれるコンピュータプログラム、ソフトウェア、またはファームウェアに実装され得る。コンピュータ可読媒体の例には、電子信号（有線または無線接続を介して送信される）およびコンピュータ可読記憶媒体などがある。それだけには限定されないが、コンピュータ可読記憶媒体の例には、ＲＯＭ（読み取り専用メモリ）、ＲＡＭ（ランダムアクセスメモリ）、レジスタ、キャッシュメモリ、半導体記憶装置、例えば内蔵ハードディスクおよび取り外し可能ディスクなどの磁気媒体、光磁気媒体、および例えばＣＤ−ＲＯＭディスクやＤＶＤ（デジタル多用途ディスク）などの光学式媒体などがある。ソフトウェアに関連したプロセッサは、ＷＴＲＵ、ＵＥ、端末、基地局、ＲＮＣ、または任意のホストコンピュータに使用される無線周波トランシーバを実装するために使用され得る。
【図１Ａ】
2014171260.tif 000007
【図１Ｂ】
2014171260.tif 000008
【図１Ｃ】
2014171260.tif 000009
【図２】
2014171260.tif 000010
【図３】
2014171260.tif 000011
【図４】
2014171260.tif 000012
【図５】
2014171260.tif 000013
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
複数のアンテナポートを伴う無線送受信ユニット（ＷＴＲＵ）における物理アップリンク制御チャネル（ＰＵＣＣＨ）電力制御のための方法であって、
前記ＰＵＣＣＨを前記複数のアンテナポート上で送信するかどうかを示している、ＰＵＣＣＨ構成を受信するステップと、
前記ＷＴＲＵが前記ＰＵＣＣＨを前記複数のポート上で送信するように構成される条件で、多入力多出力（ＭＩＭＯ）ＰＵＣＣＨ電力オフセット値を受信するステップと、
ＰＵＣＣＨ送信電力を決定するステップであって、前記ＰＵＣＣＨ送信電力は、構成された最大電力と、前記受信されたＭＩＭＯ  ＰＵＣＣＨ電力オフセット値に少なくとも基づいて決定されたＰＵＣＣＨ送信電力と、の小さい方を選択することによって決定される、ステップと
を備えることを特徴とする方法。
【請求項２】
前記ＷＴＲＵは前記ＰＵＣＣＨを単一のアンテナポート上で送信するように構成される条件で、前記ＭＩＭＯ  ＰＵＣＣＨ電力オフセット値をゼロに設定するステップをさらに備えることを特徴とする請求項１に記載の方法。
【請求項３】
前記ＰＵＣＣＨ電力は、前記複数のアンテナポートにわたって均等に分けられることを特徴とする請求項１に記載の方法。
【請求項４】
前記ＰＵＣＣＨ構成および前記ＭＩＭＯ  ＰＵＣＣＨ電力オフセット値は、１または複数の上位層を介して受信されることを特徴とする請求項１に記載の方法。
【請求項５】
複数のアンテナポートを伴う無線送受信ユニット（ＷＴＲＵ）であって、
物理アップリンク制御チャネル（ＰＵＣＣＨ）を前記複数のアンテナポート上で送信するかどうかを示している、ＰＵＣＣＨ構成を受信し、
前記ＷＴＲＵが前記ＰＵＣＣＨを前記複数のポート上で送信するように構成される条件で、多入力多出力（ＭＩＭＯ）ＰＵＣＣＨ電力オフセット値を受信し、
ＰＵＣＣＨ送信電力を決定し、前記ＰＵＣＣＨ送信電力は、構成された最大電力と、前記受信されたＭＩＭＯ電力オフセット値に少なくとも基づいて決定されたＰＵＣＣＨ送信電力と、の小さい方を選択することによって決定される
ように構成されたプロセッサを備えたことを特徴とするＷＴＲＵ。
【請求項６】
前記プロセッサは、前記ＷＴＲＵは前記ＰＵＣＣＨを単一のアンテナポート上で送信するように構成される条件で、前記ＭＩＭＯ  ＰＵＣＣＨ電力オフセット値をゼロに設定するようにさらに構成されたことを特徴とする請求項５に記載のＷＴＲＵ。
【請求項７】
前記ＰＵＣＣＨ電力は、前記複数のアンテナポートにわたって均等に分けられることを特徴とする請求項５に記載のＷＴＲＵ。
【請求項８】
前記ＰＵＣＣＨ構成および前記ＭＩＭＯ  ＰＵＣＣＨ電力オフセット値は、１または複数の上位層を介して受信されることを特徴とする請求項５に記載のＷＴＲＵ。